(57)【要約】【課題】意匠性を確保しつつ、反射部材の側方からの光の漏れ出しを抑制することができる照明付き鏡及び洗面化粧台を提供する。【解決手段】収納空間を有する本体と、本体の前面に設けられた鏡と、収納空間の内部に設けられ、上方に光を照射する光源と、本体の後部に取り付けられ、本体の上方において前方に延びる前延部を有し、光源から上方に照射された光を下方に反射させることによって鏡の正面に照射する反射部材と、を備え、反射部材は、前延部の下面と本体の上端との間において、両側端が開口しており、本体の上部の左右方向の両端領域には、両端領域の間に位置する中央領域よりも光透過率が低い一対の低透過率部が設けられており、一対の低透過率部のそれぞれは、光源と反射部材との間に位置することを特徴とする照明付き鏡である。【選択図】図１
2019136339.tif 000002
【特許請求の範囲】
【請求項１】
収納空間を有する枠体と、
前記枠体の前面に設けられた鏡と、
前記収納空間の内部に設けられ、上方に光を照射する光源と、
前記枠体の後部に取り付けられ、前記枠体の上方において前方に延びる前延部を有し、前記光源から上方に照射された光を下方に反射させることによって前記鏡の正面に照射する反射部材と、
を備え、
前記反射部材は、前記前延部の下面と前記枠体の上端との間において、両側端が開口しており、
前記枠体の上部の左右方向の両端領域には、前記両端領域の間に位置する中央領域よりも光透過率が低い一対の低透過率部が設けられており、
前記一対の低透過率部のそれぞれは、前記光源と前記反射部材との間に位置することを特徴とする照明付き鏡。
【請求項２】
前記枠体は、前記上部に、前記収納空間を覆い、光を透過する透過カバーを有し、
前記一対の低透過率部は、前記透過カバーの左右方向の両端部に設けられていることを特徴とする請求項１記載の照明付き鏡。
【請求項３】
前記一対の低透過率部のそれぞれは、前記中央領域から左右方向に離れるにつれて徐々に光透過率が低減していることを特徴とする請求項１又は２に記載の照明付き鏡。
【請求項４】
前記前延部の前端は、前記鏡の前端よりも前方に位置していることを特徴とする請求項１〜３のいずれか１つに記載の照明付き鏡。
【請求項５】
洗面ボウルを有する洗面器と、
前記洗面ボウルに向けて水を吐出する水栓装置と、
前記水栓装置の上に設けられた、請求項１〜４のいずれか１つに記載の照明付き鏡と、
を備えたことを特徴とする洗面化粧台。
【発明の詳細な説明】
【技術分野】
【０００１】
本発明の態様は、一般的に、照明付き鏡及び洗面化粧台に関する。
【背景技術】
【０００２】
従来、鏡を備えた洗面化粧台において、鏡の上部に設けられた照明装置から前方に光を照射する構造が知られている（例えば、特許文献１）。このような洗面化粧台において、光が照明装置の左右から漏れ出さないようにカバーを設けることが知られている。例えば、照明装置の左右の両側端に光を遮光するためのキャップを設けることが知られている。
【先行技術文献】
【特許文献】
【０００３】
【特許文献１】特開２０１７−９８０５９号公報
【発明の概要】
【発明が解決しようとする課題】
【０００４】
一方、光源より上方の位置に反射板などの反射部材を設け、光源から上方に光を照射し、その光を鏡の正面に反射させることにより、光源からの直接光が使用者の眼に入射することを抑制しようとする動きがある。このような構造において、側方への光の漏れ出しを抑制するキャップなどを反射部材の両側端に設けると、意匠性の低下を招いてしまう可能性がある。一方で、キャップなどを設けないと、光源から照射された光が反射部材の側方から漏れ出し、場合によっては縞模様が発生してしまうという課題がある。
【０００５】
本発明は、かかる課題の認識に基づいてなされたものであり、意匠性を確保しつつ、反射部材の側方からの光の漏れ出しを抑制することができる照明付き鏡及び洗面化粧台を提供することを目的とする。
【課題を解決するための手段】
【０００６】
第１の発明は、収納空間を有する枠体と、前記枠体の前面に設けられた鏡と、前記収納空間の内部に設けられ、上方に光を照射する光源と、前記枠体の後部に取り付けられ、前記枠体の上方において前方に延びる前延部を有し、前記光源から上方に照射された光を下方に反射させることによって前記鏡の正面に照射する反射部材と、を備え、前記反射部材は、前記前延部の下面と前記枠体の上端との間において、両側端が開口しており、前記枠体の上部の左右方向の両端領域には、前記両端領域の間に位置する中央領域よりも光透過率が低い一対の低透過率部が設けられており、前記一対の低透過率部のそれぞれは、前記光源と前記反射部材との間に位置することを特徴とする照明付き鏡である。
【０００７】
この照明付き鏡によれば、反射部材の前延部の下面と枠体の上端との間において、反射部材の両側端が開口しているため、意匠性を確保することができる。換言すれば、反射部材の両側端にキャップが設けられていないため、キャップによって意匠性を損なうことを抑制できる。また、この照明付き鏡によれば、枠体の上部の左右方向の両端領域に、中央領域よりも光透過率が低い一対の低透過率部が設けられており、一対の低透過率部のそれぞれは、光源と反射部材との間に位置する。このため、一対の低透過率部によって、光源から反射部材の左右方向の両端部に照射される光の強度を、光源から反射部材の左右方向の中央部に照射される光の強度よりも低減させることができる。これにより、反射部材の側方からの光の漏れ出しを抑制することができる。
【０００８】
第２の発明は、第１の発明において、前記枠体は、前記上部に、前記収納空間を覆い、光を透過する透過カバーを有し、前記一対の低透過率部は、前記透過カバーの左右方向の両端部に設けられていることを特徴とする照明付き鏡である。
【０００９】
この照明付き鏡によれば、収納空間の上部を覆う透過カバーを設けることで、収納空間の内部に埃などが入るのを抑制することができ、清掃性が向上する。また、一対の低透過率部をより簡単に設けることができるとともに、十分な明るさを確保することができる。従って、十分な明るさを確保しつつ、反射部材の側方からの光の漏れ出しをより簡単に抑制することができる。
【００１０】
第３の発明は、第１又は第２の発明において、前記一対の低透過率部のそれぞれは、前記中央領域から左右方向に離れるにつれて徐々に光透過率が低減していることを特徴とする照明付き鏡である。
【００１１】
この照明付き鏡によれば、反射部材に照射される光の強度を、反射部材の中央部から左右方向に離れるにつれて徐々に低減させることができるため、枠体の上部の左右方向の両端領域に低透過率部を設けたとしても、両端領域における反射部材から鏡の正面に反射する光の強度が急激に変化することを抑制でき、意匠性を低下させることなくより自然に反射部材の側方からの光の漏れ出しを抑制することができる。
【００１２】
第４の発明は、第１〜第３のいずれか１つの発明において、前記前延部の前端は、前記鏡の前端よりも前方に位置していることを特徴とする照明付き鏡である。
【００１３】
この照明付き鏡によれば、鏡の前方斜め上方への光の漏れ出しを抑制することができる。
【００１４】
第５の発明は、洗面ボウルを有する洗面器と、前記洗面ボウルに向けて水を吐出する水栓装置と、前記水栓装置の上に設けられた、第１〜第４のいずれか１つの発明の照明付き鏡と、を備えたことを特徴とする洗面化粧台である。
【００１５】
この洗面化粧台によれば、意匠性を確保しつつ、反射部材の側方からの光の漏れ出しを抑制することができる。
【発明の効果】
【００１６】
本発明の態様によれば、意匠性を確保しつつ、反射部材の側方からの光の漏れ出しを抑制することができる照明付き鏡及び洗面化粧台が提供される。
【図面の簡単な説明】
【００１７】
【図１】実施形態に係る照明付き鏡を模式的に表す斜視図である。
【図２】実施形態に係る照明付き鏡の一部を拡大して模式的に表す断面図である。
【図３】実施形態に係る照明付き鏡の変形例を模式的に表す斜視図である。
【図４】図４（ａ）及び図４（ｂ）は、実施形態に係る洗面化粧台を模式的に表す説明図である。
【発明を実施するための形態】
【００１８】
以下、実施形態について図面を参照しつつ説明する。なお、各図面中、同様の構成要素には同一の符号を付して詳細な説明は適宜省略する。  
図１は、実施形態に係る照明付き鏡を模式的に表す斜視図である。  
図２は、実施形態に係る照明付き鏡の一部を拡大して模式的に表す断面図である。
【００１９】
図１及び図２に表したように、照明付き鏡１０は、枠体２０と、鏡３０と、光源４０と、反射部材５０と、を備える。照明付き鏡１０は、例えば、洗面化粧台に用いられる。照明付き鏡１０は、洗面化粧台において洗面器や水栓装置などの上方に配置して使用される。照明付き鏡１０は、洗面化粧台に限ることなく、他の用途に用いてもよい。
【００２０】
本願明細書においては、照明付き鏡１０と向き合う使用者からみて手前側を「前方」とし、奥側を「後方」とし、上側を「上方」とし、下側を「下方」とし、右側を「右側方」とし、左側を「左側方」とする。
【００２１】
枠体２０は、鏡３０、光源４０、及び反射部材５０を支持する。枠体２０は、その内部に、収納空間２１を有する。この例では、枠体２０は、本体部２２と、透過カバー２３と、を有する。本体部２２の内部の空間が、収納空間２１である。
【００２２】
本体部２２は、例えば、直方体状である。この例では、本体部２２は、上面及び背面を開放させた略直方体の箱状である。本体部２２の上面は開放されており、収納空間２１の内部に設けられた光源４０から上方に照射された光を、収納空間２１（本体部２２）の上方まで通すことができる。本体部２２の背面は開放されていなくてもよい。本体部２２の形状は、直方体状に限ることなく、任意の形状でよい。本体部２２は、例えば、木製である。本体部２２は、木製に限ることなく、樹脂製及び金属製などでもよい。
【００２３】
本体部２２の前面の上端及び下端には、例えば、鏡３０を取り付けるための鏡取付具２８が設けられている。この鏡取付具２８に鏡３０をはめ込むことで、本体部２２の前面で鏡３０を支持することができる。鏡取付具２８は、例えば、ネジ止めなどにより、本体部２２の前面の上部及び下部に取り付けられる。
【００２４】
本体部２２の前面が扉になっており、収納空間２１の一部がキャビネットとして使用されてもよい。この場合、扉の数は、１枚、２枚、又は３枚でもよいし、４枚以上でもよい。扉は、回動式の扉（いわゆる開き戸）でもよいし、スライド式の扉（いわゆる引き戸）などでもよい。扉は必要に応じて設けられ、省略されてもよい。この例では、扉は設けられていない。
【００２５】
透過カバー２３は、本体部２２の上端に設けられ、収納空間２１の上部を覆っている。このような透過カバー２３を設けることで、収納空間２１の上部を覆い、収納空間２１の内部に埃などが入るのを抑制することができるため、清掃性が向上する。
【００２６】
透過カバー２３は、光源４０から上方に照射された光を透過させることができる。透過カバー２３は、例えば、アクリル樹脂などのプラスチック製の板である。透過カバー２３は、ガラス製の板などであってもよい。透過カバー２３の左右方向の中央部の光透過率は、例えば、９０％を超える。このような透過カバー２３であれば、反射部材５０の中央部に照射される光の強度が大きく低減されないため、十分な明るさを確保しやすい。
【００２７】
透過カバー２３の左右方向の幅は、例えば、本体部２２の左右方向の幅と実質的に同じ、又は、それよりも短い。透過カバー２３の前後方向の幅は、例えば、本体部２２の前後方向の幅と実質的に同じ、又は、それよりも短い。透過カバー２３の厚さは、例えば、１ｍｍ以上１０ｍｍ以下である。透過カバー２３は必要に応じて設けられ、省略されてもよい。
【００２８】
枠体２０の上部の左右方向の両端領域２４ａには、一対の低透過率部２５（２５ａ及び２５ｂ）が設けられる。一対の低透過率部２５のそれぞれは、光源４０と反射部材５０との間に位置する。例えば、上下方向において、一対の低透過率部２５のぞれぞれは、光源４０の左右方向の両端部と重なる。
【００２９】
この例では、一対の低透過率部２５は、透過カバー２３の左右方向の両端部に設けられている。例えば、透過カバー２３の左右方向の両端部を、塗装又は印刷などにより着色することで、透過カバー２３の両端部に、容易に一対の低透過率部２５を設けることができる。
【００３０】
一対の低透過率部２５の光透過率は、両端領域２４ａの間に位置する中央領域２４ｂの光透過率よりも低い。つまり、この例では、透過カバー２３の左右方向の両端部の光透過率は、透過カバー２３の左右方向の両端部の間に位置する中央部の光透過率よりも低い。一対の低透過率部２５の光透過率は、例えば、１０％以上９０％以下である。一対の低透過率部２５の光透過率は、例えば、２０％以上８０％以下でもよく、３０％以上７０％以下でもよく、４０％以上６０％以下でもよく、５０％程度でもよい。
【００３１】
一方、一対の低透過率部２５の光透過率は、例えば、０％を超える。換言すれば、一対の低透過率部２５は、例えば、完全遮光ではなく、光源４０から照射された光の一部は、一対の低透過率部２５を透過する。このような光透過率とすることで、反射部材の両端が暗くなり過ぎることを抑制し、意匠性を向上させることができる。
【００３２】
ここで、光透過率は、例えば、全光線透過率又は可視光透過率である。光透過率は、例えば、ＪＩＳ  Ｋ  ７３６１−１：１９９７に規定される全光線透過率であってもよい。光透過率は、例えば、ＪＩＳ  Ｋ  ７３７５：２００８に規定される全光線透過率であってもよい。光透過率は、例えば、ＪＩＳ  Ｒ  ３１０６：１９９８に規定される可視光透過率であってもよい。
【００３３】
また、一対の低透過率部２５のそれぞれは、左右方向において光透過率の勾配（グラデーション）を有していてもよい。この例では、一対の低透過率部２５のそれぞれは、中央領域２４ｂから左右方向に離れるにつれて徐々に光透過率が低減している。すなわち、左側方側の低透過率部２５ａでは、右から左に向かって、徐々に光透過率が低減している。一方、右側方側の低透過率部２５ｂでは、左から右に向かって、徐々に光透過率が低減している。
【００３４】
この場合、例えば、一対の低透過率部２５のそれぞれにおいて、中央領域２４ｂから最も離れた位置（すなわち、光透過率が最も低い位置）の光透過率が、上記の範囲を満たす。この例では、一対の低透過率部２５のそれぞれの光透過率は、中央領域２４ｂに最も近い位置で中央領域２４ｂの光透過率と同程度（例えば、９０％程度）であり、中央領域２４ｂから最も離れた位置で５０％程度である。このような構造であれば、反射部材５０に照射される光の強度を、反射部材５０の中央部から左右方向に離れるにつれて徐々に低減させることができる。従って、反射部材５０に照射される光の強度に境目がなく、枠体２０の上部の左右方向の両端領域２４ａに低透過率部２５を設けたとしても、両端領域２４ａにおける反射部材５０から鏡３０の正面に反射する光の強度が急激に変化することを抑制でき、意匠性を低下させることなくより自然に反射部材５０の側方からの光の漏れ出しを抑制することができる。そのため、例えば、洗面化粧台１００の正面に立ち化粧を行う使用者に対して違和感を与えることを抑制できる。
【００３５】
一対の低透過率部２５のそれぞれの左右方向の幅は、例えば、収納空間２１の左右方向の幅の半分以下である。一対の低透過率部２５のそれぞれの左右方向の幅は、例えば、３０ｍｍ以上２００ｍｍ以下である。一対の低透過率部２５のそれぞれの左右方向の幅は、例えば、９０ｍｍ程度である。一対の低透過率部２５のそれぞれの前後方向の幅は、例えば、本体部２２の前後方向の幅と実質的に同じ、又は、それよりも短い。一対の低透過率部２５のそれぞれの前後方向の幅は、例えば、透過カバー２３の前後方向の幅と実質的に同じである。
【００３６】
鏡３０は、枠体２０の前面に設けられている。鏡３０は、例えば、本体部２２の前面の上端及び下端に設けられた鏡取付具２８にはめ込まれている。この例では、１枚の鏡３０が、枠体２０（本体部２２）の前面に設けられている。鏡３０の数は、１枚、２枚、又は３枚でもよいし、４枚以上でもよい。上記のように本体部２２の前面が扉になっている場合、例えば、鏡３０の数は、扉の数と同じである。鏡３０の数は、扉の数よりも少なくてもよい。
【００３７】
光源４０は、収納空間２１の内部に設けられ、上方に光を照射する。この例では、光源４０は、収納空間２１の内部の後方側に設けられ、上方斜め前方に光を照射する。光源４０は、例えば、収納空間２１内部の上部に設けられる。光源４０の取り付け位置は、収納空間２１内部の上部に限ることなく、上方に光を照射可能な任意の位置でよい。
【００３８】
光源４０は、例えば、ＬＥＤ４１を有する。光源４０は、ＬＥＤ４１の代わりに、例えば、ＬＤ（Laser Diode）、有機ＥＬ（Electro-Luminescence）、又は、ＯＬＥＤ（Organic light-emitting diode）などを有していてもよい。光源４０は、ＬＥＤ４１の代わりに、白熱電球又は蛍光灯などを有していてもよい。
【００３９】
この例では、上方に光を照射する複数のＬＥＤ４１を左右方向に配列することで、左右方向に延びる光源４０を構成している。このように光源４０を左右方向に延びる構造とすることで、反射部材５０の左右方向の両端部及び中央部に光を照射することができる。
【００４０】
光源４０の左右方向の幅は、反射部材５０の左右方向の幅よりも短い。光源４０の左右方向の幅は、例えば、収納空間２１の左右方向の幅と実質的に同じでもよい。光源４０は、例えば、収納空間２１の左側方の端から１０ｍｍ程度内側の位置から、右側方の端から１０ｍｍ程度内側の位置まで、設けられていてもよい。
【００４１】
反射部材５０は、光源４０から上方に照射された光を、下方に反射させることによって、鏡３０の正面に照射する。これにより、鏡３０の正面に位置する使用者の顔などを照らすことができる。反射部材５０は、光を反射可能な任意の構成でよい。反射部材５０は、例えば、金属製である。
【００４２】
反射部材５０は、枠体２０の後部に、例えば、ネジ止めなどにより取り付けられる。反射部材５０は、枠体２０の上方において前方に延びる前延部５１を有する。この例では、反射部材５０は、枠体２０の後部から上方に略鉛直に延びる上延部５２と、上延部５２から前方に略水平に延びる前延部５１と、を有する。前延部５１は枠体２０の後部から前方斜め上方に延びていてもよい。上延部５２は、省略されてもよい。
【００４３】
前延部５１の前端は、例えば、収納空間２１の前面よりも前方に位置している。前延部５１の前端は、例えば、鏡３０の前端よりも前方に位置している。換言すれば、反射板５０は、鏡３０の前端よりも前方に突出している。このような構造とすることで、鏡３０の前方斜め上方への光の漏れ出しを抑制することができる。
【００４４】
反射部材５０は、前延部５１の下面と枠体２０の上端との間において、両側端が開口している。換言すれば、収納空間２１の上方において、反射部材５０の前延部５１の下面と収納空間２１の上部との間は左右の側面が開口している。すなわち、反射部材５０の両側端には、キャップが設けられていない。これにより、意匠性を確保することができる。
【００４５】
反射部材５０の左右方向の幅は、例えば、枠体２０の左右方向の幅と実質的に同じである。このように、反射部材５０の左右方向の端部と枠体２０の左右方向の端部とを略面一とすることで、意匠性をさらに向上させることができる。
【００４６】
以上、説明したように、実施形態に係る照明付き鏡１０によれば、反射部材５０の前延部５１の下面と枠体２０の上端との間において、反射部材５０の両側端が開口している。換言すれば、反射部材５０の両側端にキャップが設けられていない。これにより、キャップによって意匠性を損なうことを抑制し、意匠性を確保することができる。
【００４７】
また、実施形態に係る照明付き鏡１０によれば、枠体２０の上部の左右方向の両端領域２４ａに、中央領域２４ｂよりも光透過率が低い一対の低透過率部２５が設けられており、一対の低透過率部２５のそれぞれは、光源４０と反射部材５０との間に位置する。このため、一対の低透過率部２５によって、光源４０から反射部材５０の左右方向の両端部に照射される光の強度を、光源４０から反射部材５０の左右方向の中央部に照射される光の強度よりも低減させることができる。これにより、反射部材５０の側方からの光の漏れ出しを抑制することができる。また、反射部材５０の側方からの光の漏れ出しによる縞模様の発生を抑制することができる。
【００４８】
例えば、反射部材５０の側方からの光の漏れ出しを抑制する別の手段として、枠体２０の上部の全体を光透過率の低い部材で構成することが考えられる。しかしながら、この場合、反射部材５０の左右方向の両端部だけでなく、反射部材５０の中央部に照射される光の強度も大きく低減されてしまう。従って、鏡３０の正面に照射される光の強度が低下し、十分な明るさを確保しづらくなってしまう。これに対し、実施形態に係る照明付き鏡１０では、枠体２０の上部の中央領域２４ｂの光透過率を、枠体２０の上部の両端領域２４ａの光透過率よりも高くする。これにより、反射部材５０の中央部に照射される光の強度が大きく低減されることを抑制できる。このため、例えば、枠体２０の上部の全体を光透過率の低い部材で構成する場合などと比べて、鏡３０の正面に照射される光の強度が低下しづらく、十分な明るさを確保しやすい。
【００４９】
図３は、実施形態に係る照明付き鏡の変形例を模式的に表す斜視図である。  
図３に表したように、この例では、透過カバー２３は設けられていない。換言すれば、枠体２０の上部の左右方向の中央領域２４ｂは、上下方向において解放されている。この場合、中央領域２４ｂの光透過率は、実質的に１００％である。
【００５０】
枠体２０の上部の左右方向の両端領域２４ａには、一対の低透過率部２５が設けられている。この例では、低透過率部２５ａと低透過率部２５ｂとは、別々の部材として設けられている。一対の低透過率部２５の光透過率及び大きさについては、上記と同様の光透過率及び大きさを適用することができる。この例では、一対の低透過率部２５のそれぞれは、全体が実質的に均一な光透過率を有する。つまり、一対の低透過率部２５のそれぞれは、左右方向において光透過率の勾配（グラデーション）を有していない。
【００５１】
この変形例の一対の低透過率部２５は、例えば、光透過率が９０％を超えるプラスチック製の板などの基材を塗装又は印刷により着色することで、容易に作製することができる。また、例えば、光透過率が５０％程度のプラスチック製の板などを、そのまま一対の低透過率部２５として用いてもよい。
【００５２】
この変形例においても、反射部材５０の前延部５１の下面と枠体２０の上端との間において、反射部材５０の両側端が開口しているため、意匠性を確保することができる。また、枠体２０の上部の左右方向の両端領域２４ａに一対の低透過率部２５が設けられているため、反射部材５０の左右方向の両端部に照射される光の強度を抑制し、反射部材５０の側方からの光の漏れ出しを抑制することができる。これにより、反射部材５０の側方からの光の漏れ出しによる縞模様の発生を抑制することができる。
【００５３】
図４（ａ）及び図４（ｂ）は、実施形態に係る洗面化粧台の一例を表す説明図である。  図４（ａ）は、実施形態に係る洗面化粧台の一例を表す正面図である。  
図４（ｂ）は、実施形態に係る洗面化粧台の一例を表す側面図である。
【００５４】
図４（ａ）及び図４（ｂ）に表したように、洗面化粧台１００は、照明付き鏡１０と、支持台１０２と、洗面器１０４と、水栓装置１０６と、を備える。洗面化粧台１００は、洗面所などの設置空間において、所定の壁面に取り付けられた状態で使用される。
【００５５】
支持台１０２は、例えば、フロアキャビネットである。この例において、支持台１０２は、引き出し式のキャビネットである。支持台１０２は、例えば、観音開き式のキャビネットなどでもよい。支持台１０２は、洗面器１０４を支持可能な任意の構成でよい。
【００５６】
洗面器１０４は、支持台１０２の上に設けられる。洗面器１０４は、下方に向かって凹んだ凹状の洗面ボウル１０４ａを有する。洗面ボウル１０４ａは、水栓装置１０６から吐出された水を受ける。
【００５７】
水栓装置１０６は、例えば、洗面器１０４の上に設けられる。水栓装置１０６は、例えば、洗面ボウル１０４ａの内部に設けられてもよい。水栓装置１０６は、吐水口１０６ａ（スパウト）と、操作部１０６ｂと、を有する。吐水口１０６ａは、洗面ボウル１０４ａに向けて水を吐出する。操作部１０６ｂは、吐水口１０６ａから吐出される水の流量及び温度を調節する。この例において、操作部１０６ｂは、レバーハンドルである。操作部１０６ｂは、これに限ることなく、回転型のハンドルなどでもよい。操作部１０６ｂは、少なくとも流量を調節できればよい。
【００５８】
照明付き鏡１０は、水栓装置１０６の上に設けられる。照明付き鏡１０は、例えば、照明付き鏡１０の枠体２０に設けられた取付具と、壁面に設けられた取付受け具とによって、壁面に固定される。照明付き鏡１０は、ネジなどにより、壁面に固定されてもよい。
【００５９】
このように、実施形態に係る洗面化粧台１００は、照明付き鏡１０を備える。従って、実施形態に係る洗面化粧台１００であれば、反射部材５０の前延部５１の下面と枠体２０の上端との間において、反射部材５０の両側端が開口しているため、意匠性を確保することができる。また、枠体２０の上部の左右方向の両端領域２４ａに一対の低透過率部２５が設けられているため、反射部材５０の左右方向の両端部に照射される光の強度を抑制し、反射部材５０の側方からの光の漏れ出しを抑制することができる。これにより、反射部材５０の側方からの光の漏れ出しによる縞模様の発生を抑制することができる。
【００６０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、照明付き鏡１０及び洗面化粧台１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１０ 照明付き鏡、  ２０ 枠体、  ２１ 収納空間、  ２２ 本体部、  ２３ 透過カバー、  ２４ａ 端領域、  ２４ｂ 中央領域、  ２５、２５ａ、２５ｂ 低透過率部、  ２８ 鏡取付具、  ３０ 鏡、  ４０ 光源、  ４１ ＬＥＤ、  ５０ 反射部材、  ５１ 前延部、  ５２ 上延部、  １００ 洗面化粧台、  １０２ 支持台、  １０４ 洗面器、  １０４ａ 洗面ボウル、  １０６ 水栓装置、  １０６ａ 吐水口、  １０６ｂ 操作部
【図１】
2019136339.tif 000003
【図２】
2019136339.tif 000004
【図３】
2019136339.tif 000005
【図４】
2019136339.tif 000006